(57)【要約】【課題】簡単な構造の締付けトルク測定装置によって、インパクトレンチ等の締付け工具の締付けトルクを測定する。【解決手段】積層された皿ばね５をはさんでボルト８とＴ字ナット９とを螺合させる。Ｔ字ナット９をクランプブロック１８及びボルト１９によってベース板２に固定し、ボルト８に工具ソケット２０を取付ける。工具ソケット２０に締付け工具の出力軸を結合し、ボルト８を回転させる。ボルト８の回転によって、皿ばね５が圧縮され、その弾性力と締付けトルクとが釣り合ったところで、ボルトの８の回転が停止する。工具ソケット２０の指針２４および目盛板２２によって、ボルト８の回転角を読みとることによって、締付けトルクを測定することができる。【選択図】        図１
2004239681.tif 000002
【特許請求の範囲】
【請求項１】
互いに螺合され、締付けトルクを受けて相対回転する雌ねじ部材及び雄ねじ部材と、前記雌ねじ部材と前記雄ねじ部材との軸方向の相対変位に対して弾性力を付与するばね手段とを備え、前記雌ねじ部材と前記雄ねじ部材との相対回転角に基づいて締付けトルクを測定することを特徴とする締付けトルク測定装置。
【請求項２】
前記ばね手段は、前記雄ねじ部材と前記雌ねじ部材との軸方向の相対変位による歪みと、弾性力とがほぼ比例することを特徴とする請求項１に記載の締付けトルク測定装置。
【請求項３】
前記ばね手段は、皿ばねであることを特徴とする請求項１又は２に記載の締付けトルク測定装置。
【請求項４】
前記ばね手段は、作動油の体積弾性によって弾性力を発生させることを特徴とする請求項１又は２のいずれかに記載の締付けトルク測定装置。
【発明の詳細な説明】
【０００１】
【産業上の利用分野】
本発明は、インパクトレンチ、オイルパルスレンチ等の締付け工具によるねじの締付トルクを簡単に測定するための締付トルク測定装置に関するものである。
【０００２】
【従来の技術】
例えば自動車等の機械製品の組立ラインにおいては、インパクトレンチ、オイルパルスレンチ等の衝撃トルクを発生させる締付け工具（以下、インパクトレンチ等という）を用いてねじ類の締め付けが行われることが多い。インパクトレンチ等は、エアモータ等のモータの連続的な回転力をパルス発生機によって断続的なトルクに変換し、短時間にトルクを立ち上げて衝撃トルクを発生させることにより、小型で大きな締付けトルクを得ることができる。
【０００３】
また、機械製品の組立においては、ねじ類の締付けトルクが規定されている部位があり、このような部位のねじの締付けにおいては、締付けトルクが規定値に達しているかどうかを判定する必要がある。そこで、従来、ねじ類をインパクトレンチ等によってある程度締付けた後、さらに、手動式のトルクレンチを用いて規定トルクまで締付けるようにしていた。
【０００４】
しかしながら、上記従来の手動式のトルクレンチを用いて締付ける方法では、締付作業が煩雑であり、作業効率が低い。そこで、締付トルク検出装置を用いてインパクトレンチ等の締付トルクを測定し、予め規定の締付けトルクが得られるよう調整したインパクトレンチ等を用いる方法、あるいは、締付トルク検出装置を内蔵したインパクトレンチ等を用いて規定の締付けトルクを得る方法がとられている。
【０００５】
インパクトレンチ等の締付けトルクを測定するための締付トルク検出装置は、例えば、歪みゲージ等の歪み検出素子を用いてトルク伝達部材の歪み（捻れ）を電気信号として検出し、この電気信号を電気回路によって処理することにより、締付トルクを得るようにしている。この種の締付トルク検出装置については、例えば特許文献１に参照することができる。
【０００６】
【特許文献１】
特開平１１−２６７９８１号公報
【０００７】
【発明が解決しようとする課題】
しかしながら、上記従来の電気的に締付トルクを検出する締付トルク検出装置を用いる場合、締付トルク検出装置は、構造が複雑であり、また、電気回路等を用いるため高価であり、設備コストがかかる。
【０００８】
また、インパクトレンチ等による衝撃トルクは、トルク値が時間と共に急激に変化するため、正確な測定値を得ることが困難である。
【０００９】
本発明は、上記の点に鑑みてなされたものであり、簡単な構造で、インパクトレンチ等による締付トルクを測定することができる締付けトルク測定装置を提供することを目的とする。
【００１０】
【課題を解決するための手段】
上記の課題を解決するために、請求項１の発明に係る締付けトルク測定装置は、互いに螺合され、締付けトルクを受けて相対回転する雌ねじ部材及び雄ねじ部材と、前記雌ねじ部材と前記雄ねじ部材との軸方向の相対変位に対して弾性力を付与するばね手段とを備え、前記雌ねじ部材と前記雄ねじ部材との相対回転角に基づいて締付けトルクを測定することを特徴とする。
このように構成したことにより、締付け工具によって、雌ねじ部材と雄ねじ部材とを相対回転させると、雌ねじ部材と雄ねじ部材との軸方向の相対変位に対して、ばね手段によって変位に応じた弾性力が付与され、締付け工具の締付けトルクとばね手段の弾性力とが釣り合ったところで、雄ねじ部材と雌ねじ部材との相対回転が停止するので、その相対回転角から締付けトルクを測定することができる。
請求項２の発明に係る締付けトルク測定装置は、上記請求項１の構成において、前記ばね手段は、前記雄ねじ部材と前記雌ねじ部材との軸方向の相対変位による歪みと、弾性力とがほぼ比例することを特徴とする。
このように構成したことにより、締付けトルクと、雌ねじ部材と雄ねじ部材との相対回転角とがほぼ比例する。
請求項３の発明に係る締付けトルク測定装置は、上記請求項１又は２の構成において、前記ばね手段は、皿ばねであることを特徴とする。
このように構成したことにより、雄ねじ部材と雌ねじ部材との軸方向の相対変位に対して、皿ばねが撓んで弾性力を付与する。
また、請求項４の発明に係る締付けトルク測定装置は、上記請求項１又は２の構成において、前記ばね手段は、作動油の体積弾性によって弾性力を発生させることを特徴とする。
このように構成したことにより、雄ねじ部材と雌ねじ部材との軸方向の相対変位に対して、作動油が体積歪みを生じて弾性力を発生させる。
【００１１】
【発明の実施の形態】
以下、本発明の実施形態を図面に基づいて詳細に説明する。
本発明の第１実施形態について、図１乃至図６を参照して説明する。図１乃至図４に示すように、本実施形態に係る締付けトルク測定装置１は、正方形のベース板２と、ベース板２上に固定されたトルク測定装置本体３と、トルク測定装置本体３を覆う円筒状のケース４とから構成されている。
【００１２】
トルク測定装置本体３は、積層された複数の皿ばね５（ばね手段）をはさんで、キャップ部材６とシャフト部材７と嵌合させ、これらにボルト８（雄ねじ部材）を挿通させて、ボルト８にＴ字ナット９（雌ねじ部材）を螺合した構造となっている。ボルト８の先端部には、ナット１０が螺着されてロックナット１１によって固定されて、Ｔ字ナット９のボルト８からの抜け止めを行っている。
【００１３】
キャップ部材６は、底部を有する略円筒状であり、その底部の外周にフランジ部１２が形成されており、円筒部の先端部内周には、ねじ部１３（雌ねじ）が形成されている。シャフト部材７は、一端側の小径部と他端側の大径部とを有する段付円筒状に形成されている。シャフト部材７の小径部の先端部外周には、キャップ部材６側のねじ部１３に螺合するねじ部１４（雄ねじ）が形成されている。そして、シャフト部材７のねじ部１４をキャップ部材６のねじ部１３にねじ込み、さらに、ねじ部１３を貫通させることにより、キャップ部材６とシャフト部材７とを互いに軸方向に摺動可能に案内するとともに、ねじ部１３、１４によってこれらの抜け止めを行っている。
【００１４】
シャフト部材７の大径部には、小径部側の一部を残して二面取りされた二面取り部１５が形成されている。二面取り部１５の中央部は、矩形の溝部１６によって横断されており、溝部１６にＴ字ナット９が嵌合されて、Ｔ字ナット９の回転が規制されている。シャフト部材７の大径部と皿ばね５との間には、円筒状のカラー１７が挿入され、キャップ部材６のフランジ部１２とシャフト部材７の大径部との間で、カラー１７を介して皿ばね５をはさみ付けており、ボルト８をＴ字ナット９に締め込むことによって、皿ばね５を圧縮するようになっている。
【００１５】
ベース板２上には、一対の矩形のクランプブロック１８が立設されており、これらのクランプブロック１８の間に、シャフト部材７の二面取り部１５が嵌合されている。一対のクランプブロック１８は、これらの両端部に挿通された２本のテンションボルト１９によって結合されており、テンションボルト１９を締付けることにより一対のクランプブロック１８によって二面取り部１５をはさみ付けて、シャフト部材７の回転を規制すると共に、トルク測定装置本体３をベース板２に固定している。
【００１６】
ボルト８の頭部には、工具ソケット２０が嵌合されて、止ねじ２１によって固定されている。工具ソケット２０の先端部は、ケース４の上面に取付けられた目盛板２２の中央の開口に挿通されて、ケース４の外部に突出されている。工具ソケット２０の先端には、インパクトレンチ等の締付け工具の出力軸（図示せず）を結合するための結合凹部２３が設けられている。目盛板２２を通して外部に突出された工具ソケット２０の先端部の側面部には、指針２４が取付けられている。ケース４は、ベース板２に立設された３本の支柱２５によって、ベース板２に固定されている。
【００１７】
以上のように構成した本実施形態の作用について次に説明する。
ベース板２を固定し、インパクトレンチ等の締付け工具の出力軸を工具ソケット２０の結合凹部２３に結合する。締付け工具を作動させて、工具ソケット２０を回転させてボルト８をＴ字ナット９に締め込んで皿ばね５を圧縮する。これにより、ボルト８の回転によるボルト８とＴ字ナット９との軸方向の相対変位に対して、その変位に応じた皿ばね５の弾性力が付与され、ボルト８の回転に抵抗力が生じて、締付け工具の締付けトルクと皿ばね５の弾性力による抵抗力とが釣り合ったところで、ボルト８の回転が停止する。
【００１８】
このとき、図５に示すように、ボルト８の締付けトルクと回転角とは、微小締付けトルク及び回転角の領域を除いて、ほぼ比例関係にあるので、目盛板２２及び指針２４によってボルト８の回転角を読みとることにより、締付けトルクを測定することができる。締付けトルクを測定した後、締付け工具を逆回転させて、ボルト８および指針２４を初期位置に戻す。このようにして、締付け工具の締付けトルクを簡単に測定することができる。
【００１９】
また、ボルト８とＴ字ナット９との間の摩擦および積層された皿ばね５によって、インパクトレンチ等による高周波トルクの入力に対して、適度に回転慣性力を減衰することができるので、安定して正確な測定値を得ることができる。締付けトルク測定装置１によって、測定したインパクトレンチおよびトルクレンチのそれぞれの締付けトルクの測定値（表示トルク）を図６に示す。図６において、折線▲１▼はインパクトレンチによる締付けトルク（高周波トルク）の測定値を示し、折線▲２▼はトルクレンチによる締付けトルク（低周波トルク）の測定値を示し、両者ともほぼ一致しており、高周波トルク及び低周波トルクのいずれに対しても、ほぼ正確な測定値が得られることが分かる。
【００２０】
次に、本発明の第２実施形態について、図７を参照して説明する。
図７に示すように、本実施形態の締付けトルク測定装置２６は、ばね手段として、作動油の体積弾性を利用したものであり、有底円筒状のシリンダ２７内にピストン２８が摺動可能に嵌装され、ピストン２８によってシリンダ２７内の底部側に作動油２９が封入されている。シリンダ２７の開口端には、雌ねじ部３０を有するキャップ部材３１（雌ねじ部材）が取付けられ、雌ねじ部３０に雄ねじ部材３２が螺合されている。雄ねじ部材３２の一端部は、押圧部材３３を介してピストン２８に当接し、他端部は、キャップ部材３１から外部に突出され、その先端に、インパクトレンチ等の締付け工具の出力軸（図示せず）を結合するための結合凹３４が設けられている。
【００２１】
このように構成したことにより、シリンダ２７を固定し、結合凹部３４にインパクトレンチ等の締付け工具の出力軸を結合して、締付けトルクを測定する。締付け工具によって雄ねじ部材３２を回転させると、ピストン２８によって作動油が圧縮されて体積歪を生じ、作動油２９の体積弾性に応じた抵抗力が雄ねじ部材３２の回転に作用し、この抵抗力と締付けトルクとが釣り合ったところで、雄ねじ部材３２の回転が停止する。これにより、上記第１実施形態と同様、雄ねじ部材３２の回転角を読みとることによって、締付けトルクを測定することができる。この場合にも、雌ねじ部３０と雌ねじ部材３２との間の摩擦によって、インパクトレンチ等による高周波トルクの入力に対して、適度に回転慣性力を減衰することができるので、安定して正確な測定値を得ることができる。
【００２２】
なお、上記第１及び第２実施形態において、ばね手段の弾性力と締付けトルクとの関係が線形でない場合でも、これらの間に一定の相関関係があれば、その関係に応じて、雄ねじ部材の回転角を読みとる目盛を設定することにより、締付けトルクを測定することが可能である。
【００２３】
また、ばね手段は、上記第１実施形態の皿ばね５、第２実施形態の作動油２９のほか、雄ねじ部材の締込みに対して、弾性力を作用させることができるものであれば、コイルばね、弾性体からなるブロック等の他のばね手段を用いることもできる。
【００２４】
次に、上記第１実施形態の締付けトルク測定装置１の使用方法の一例について図８及び図９を参照して説明する。
図８は、ボルト等のねじ類の締付け工程を有する製品又は部品の組立ライン３５を示しており、ワークを搬送するコンベア３６の側部に、所定の締付けトルクに調整されたインパクトレンチ等の締付け工具３７が配置されており、この組立ライン３５内において、締付け工具３７の近傍に、締付けトルク測定装置１が配置されている。作業者３８は、締付け工具３７によってワークのねじ類の締付けを行い、所定のタイミングで締付けトルク測定装置１によって、締付け工具３７の締付けトルクを測定する。
【００２５】
これにより、作業者３８は、締付け工具３７の締付けトルクが規定値にあるかどうかを組立ライン３５内で適宜チェックすることができるので、図９に示すように、組立ライン３９の外に締付けトルクのチェックスペース４０を配置した従来の一般的なレイアウトに比して、締付けトルクのチェックにかかる工数を低減して、作業効率を高めることができる。この場合、締付けトルク測定装置１は、電源等の外部設備が不要であり、簡単に組立ライン内に配置することができるので、設備コストも安価ですむ。
【００２６】
【発明の効果】
以上詳述したように、本発明に係る締付けトルク測定装置によれば、簡単な構造で、インパクトレンチ等による高周波トルクおよびトルクレンチ等による低周波トルクの両方について、ほぼ正確な締付けトルクを測定することができる。
【図面の簡単な説明】
【図１】本発明の第１実施形態に係る締付けトルク測定装置の左半分を縦断面して示す側面図である。
【図２】図１に示す締付けトルク測定装置の平面図である。
【図３】図１に示す締付けトルク測定装置のキャップ部材、カラー、シャフト部材、Ｔ字ナットの分解側面図である。
【図４】図１に示す締付けトルク測定装置のシャフト部材の下面図である。
【図５】図１に示す締付けトルク測定装置における締付けトルクとボルトの回転角との関係を示すグラフ図である。
【図６】図１に示す締付けトルク測定装置における低周波トルク及び高周波トルクの表示トルクと入力トルクとの関係を示すグラフ図である。
【図７】本発明の第２実施形態に係る締付けトルク測定装置の縦断面図である。
【図８】本発明の締付けトルク測定装置を用いた組立ラインのレイアウトを示す図である。
【図９】従来の締付けトルク測定装置を用いた一般的な組立ラインのレイアウトを示す図である。
【符号の説明】
１  締付けトルク測定装置
５  皿ばね（ばね手段）
８  ボルト（雄ねじ部材）
９  Ｔ字ナット（雌ねじ部材）
【図１】
2004239681.tif 000003
【図２】
2004239681.tif 000004
【図３】
2004239681.tif 000005
【図４】
2004239681.tif 000006
【図５】
2004239681.tif 000007
【図６】
2004239681.tif 000008
【図７】
2004239681.tif 000009
【図８】
2004239681.tif 000010
【図９】
2004239681.tif 000011